(57)【特許請求の範囲】
【請求項１】
出気部件（１０）と、上記の出気部件（１０）と連結する送気パイプ（２０）と、上記の送気パイプ（２０）外に伸縮自由のように設置する第一パイプ（３０）と、上記の第一パイプ（３０）外に伸縮自由のように設置する第二パイプ（４０）を備えるエアポンプであって、
第二パイプ（４０）と送気パイプ（２０）とが一本の位置決めパイプ（３１）によって連結され、
送気パイプ（２０）の一端が第一パッキング（２１）によって上記の出気部件（１０）と連結しながら、密着しており、送気パイプ（２０）の他端に第一ピストン（５）が設けられており、上記の第一ピストン（５）は送気パイプ（２０）のその端と一体形成になるブロック（５１）を有し、ブロック（５１）の内部にリング状の取り付け溝（５２）が形成されると共に、取り付け溝（５２）の内部に第一リング（５３）と第二リング（５４）が設けられており、上記の取り付け溝（５２）の底部に送気パイプ（２０）と貫通する第一通気道（５５）が設けられており、送気パイプ（２０）が貫通されるため第一パイプ（３０）の端部にカバー（３２）が設置され、カバー（３２）と送気パイプ（２０）との間に進気孔（３３）が形成されると共に、進気孔（３３）内にオープン又はクローズを制御するため第二パッキング（３４）が設置されており、
位置決めパイプ（３１）はブロック（５１）を貫通し、送気パイプ（２０）内部に到着しており、第一パイプ（３０）内における位置決めパイプ（３１）の一端に第一取り付けブロック（３１１）が設置されると共に、第一取り付けブロック（３１１）に第一パイプ（３０）と密着するため単向バルブ（３１２）が設けられており、第二パイプ（４０）内に収容されるため第一パイプ（３０）の一端に第二ピストン（６）が設置されており、
上記の第二ピストン（６）は第一パイプ（３０）と一体形成になる第二取り付けブロック（６１）が設置されており、第一パイプ（３０）と連結する第二パイプ（４０）の一端に第一カバー（４１）が設置され、第一カバー（４１）と第一パイプ（３０）の外壁との間に第一通気孔（４２）が形成されると共に、第一通気孔（４２）の内部にオープン又はクローズを制御するため第三パッキング（４３）が設けられており、第二パイプ（４０）の底部に複数の進気孔（６６）が形成されると共に、第二パイプ（４０）底部の内側に進気孔（６６）に対応してオープン又はクローズを制御するため第三単向バルブ（６７）が設置されることを特徴とするエアポンプ。
【請求項２】
第二取り付けブロック（６１）の周縁に収容部（６２）が形成され、上記の収容部（６２）のうちに第一単向バルブ（６３）と、第一単向バルブ（６３）に対して設置される第二単向バルブ（６４）とが収容されており、上記の収容部（６２）の底部に位置決めパイプ（３１）と貫通する第二通気道（６５）が形成されることを特徴とする請求項１に記載のエアポンプ。
【請求項３】
第一単向バルブ（６３）又は第二単向バルブ（６４）は夫々延伸弁（６３１）、（６４１）が設けられると共に、延伸弁（６３１）、（６４１）との間に隙間（６３２）、（６４２）が形成されることを特徴とする請求項１又は２に記載のエアポンプ。
【発明の詳細な説明】
【０００１】
【発明の属する技術分野】
本発明は、各ピストンに単向バルブが設けられることにより、ピストンが往復作動する際、空気が中央における送気パイプに圧縮されると共に、外へ排出されるエアポンプに関するものである。
【０００２】
【従来の技術】
エアポンプによって空気を容器内に送入することが知られている。今、よく見られる市販のエアポンプはハンドルを連続的に往復に作動し、ハンドルと一緒に設置されるピストンがハンドルと一緒に作動されると共に、エアポンプ内の空気が間隔に外へ送出されている。この種類のエアポンプは効率をよく発揮することができないから、問題を解決するための特許がいっぱい出てくる。
【０００３】
台湾特許公告番号第２５０１６４号の内に伸縮式のエアポンプを掲示した。このエアポンプの構造は従来と比べて大きな異なるところがなく、特徴というところは外部パイプの内部に、滑るように中部パイプ及び内部パイプが設置されることである。ハンドルを引くことによって、ハンドル一端に設置するピストンが順番に各パイプにおける空気を排出する。又、台湾特許公告番号第３５９３２８号に関するエアポンプはハンドルが往復作動する際、空気が中央パイプから排出され、効率が向上される。
【０００４】
【発明が解決しようとする課題】
しかしながら、上記の従来の装置及び方法には、以下のような問題がある。
第２５０１６４号の特許はピストンが単向的に空気を排出でき、効率があまりよくない。第３５９３２８号の特許はピストンが往復作動すると共に、空気が排出されるが、内部の部件がいっぱい設置されるため、体積が大きすぎる。
【０００５】
そこで、案出されたのが本発明であって、ピストンが往復作動されると共に、空気が排出され、且つ体積が小さいエアポンプを提供することを目的としている。
【０００６】
【課題を解決するための手段】
上記の課題を解決するために、本発明は、
出気部件（１０）と、上記の出気部件（１０）と連結する送気パイプ（２０）と、上記の送気パイプ（２０）外に伸縮自由のように設置する第一パイプ（３０）と、上記の第一パイプ（３０）外に伸縮自由のように設置する第二パイプ（４０）を備えるエアポンプであって、
第二パイプ（４０）と送気パイプ（２０）とが一本の位置決めパイプ（３１）によって連結され、
送気パイプ（２０）の一端が第一パッキング（２１）によって上記の出気部件（１０）と連結しながら、密着しており、送気パイプ（２０）の他端に第一ピストン（５）が設けられており、上記の第一ピストン（５）は送気パイプ（２０）のその端と一体形成になるブロック（５１）を有し、ブロック（５１）の内部にリング状の取り付け溝（５２）が形成されると共に、取り付け溝（５２）の内部に第一リング（５３）と第二リング（５４）が設けられており、上記の取り付け溝（５２）の底部に送気パイプ（２０）と貫通する第一通気道（５５）が設けられており、送気パイプ（２０）が貫通されるため第一パイプ（３０）の端部にカバー（３２）が設置され、カバー（３２）と送気パイプ（２０）との間に進気孔（３３）が形成されると共に、進気孔（３３）内にオープン又はクローズを制御するため第二パッキング（３４）が設置されており、
位置決めパイプ（３１）はブロック（５１）を貫通し、送気パイプ（２０）内部に到着しており、第一パイプ（３０）内における位置決めパイプ（３１）の一端に第一取り付けブロック（３１１）が設置されると共に、第一取り付けブロック（３１１）に第一パイプ（３０）と密着するため単向バルブ（３１２）が設けられており、第二パイプ（４０）内に収容されるため第一パイプ（３０）の一端に第二ピストン（６）が設置されており、
上記の第二ピストン（６）は第一パイプ（３０）と一体形成になる第二取り付けブロック（６１）が設置されており、第一パイプ（３０）と連結する第二パイプ（４０）の一端に第一カバー（４１）が設置され、第一カバー（４１）と第一パイプ（３０）の外壁との間に第一通気孔（４２）が形成されると共に、第一通気孔（４２）の内部にオープン又はクローズを制御するため第三パッキング（４３）が設けられており、第二パイプ（４０）の底部に複数の進気孔（６６）が形成されると共に、第二パイプ（４０）底部の内側に進気孔（６６）に対応してオープン又はクローズを制御するため第三単向バルブ（６７）が設置されることを特徴とするエアポンプ、を提供する。
【０００７】
【発明の実施の形態】
以下、添付図面を参照して本発明の好適な実施の形態を詳細に説明する。
【０００８】
図１は本発明に係わるエアポンプを完全に展開する状態を示す断面図であり、図２は本発明に係わるエアポンプを完全に圧縮する状態を示す断面図であり、図３は本発明に係わるエアポンプの第一ピストンと送気パイプを示す断面図であり、図４は本発明に係わるエアポンプの第二ピストンと第二パイプを示す断面図であり、図５は本発明に係わるエアポンプの第一ピストンが第一パイプ内に作動する状態を示す断面図であり、図６は本発明に係わるエアポンプの第二ピストンが第二パイプ内に作動する状態を示す断面図であり、図７は本発明に係わるエアポンプの第二ピストンが第二パイプ内に図５の逆方向へ作動する状態を示す断面図であり、図８は本発明に係わるエアポンプの第一ピストンが第一パイプ内に図４の逆方向へ作動する状態を示す断面図である。
【０００９】
図１乃至図４に示すように、本発明は出気部件（１０）と、上記の出気部件（１０）と連結する送気パイプ（２０）と、上記の送気パイプ（２０）外に伸縮自由のように設置する第一パイプ（３０）と、上記の第一パイプ（３０）外に伸縮自由のように設置する第二パイプ（４０）を備えている。第二パイプ（４０）と送気パイプ（２０）とが位置決めパイプ（３１）によって連結される。
【００１０】
送気パイプ（２０）の一端が第一パッキング（２１）によって上記の出気部件（１０）と連結しながら、密着している。送気パイプ（２０）の他端に第一ピストン（５）が設けられている。上記の第一ピストン（５）は送気パイプ（２０）のその端と一体形成になるブロック（５１）を有し、ブロック（５１）の内部にリング状の取り付け溝（５２）が形成されると共に、取り付け溝（５２）の内部に第一リング（５３）と第二リング（５４）が設けられている。よってブロック（５１）と第一パイプ（３０）の内壁との密着効果が得られる。上記の取り付け溝（５２）の底部に送気パイプ（２０）と貫通する第一通気道（５５）が設けられている。
【００１１】
送気パイプ（２０）が貫通されるため第一パイプ（３０）の端部にカバー（３２）が設置され、カバー（３２）と送気パイプ（２０）との間に進気孔（３３）が形成されると共に、進気孔（３３）内にオープン又はクローズを制御するため第二パッキング（３４）が設置されている。位置決めパイプ（３１）はブロック（５１）を貫通し、送気パイプ（２０）内部に到着している。第一パイプ（３０）内における位置決めパイプ（３１）の一端に第一取り付けブロック（３１１）が設置されると共に、第一取り付けブロック（３１１）に第一パイプ（３０）と密着するため単向バルブ（３１２）が設けられている。
【００１２】
第二パイプ（４０）内に収容されるため第一パイプ（３０）の一端に第二ピストン（６）が設置されている。上記の第二ピストン（６）は第一パイプ（３０）と一体形成になる第二取り付けブロック（６１）が設置されると共に、第二取り付けブロック（６１）の周縁に収容部（６２）が形成され、この収容部（６２）のうちに第一単向バルブ（６３）と、第一単向バルブ（６３）に対して設置される第二単向バルブ（６４）とが収容されている。上記の収容部（６２）の底部に位置決めパイプ（３１）と貫通する第二通気道（６５）が形成されている。第一単向バルブ（６３）又は第二単向バルブ（６４）は夫々延伸弁（６３１）、（６４１）が設けられると共に、延伸弁（６３１）、（６４１）との間に隙間（６３２）、（６４２）が形成されている。
【００１３】
第一パイプ（３０）と連結する第二パイプ（４０）の一端に第一カバー（４１）が設置され、且つ第一カバー（４１）と第一パイプ（３０）の外壁との間に第一通気孔（４２）が形成されると共に、第一通気孔（４２）の内部にオープン又はクローズを制御するため第三パッキング（４３）が設けられている。第二パイプ（４０）の底部に複数の進気孔（６６）が形成されると共に、第二パイプ（４０）底部の内側に進気孔（６６）に対応してオープン又はクローズを制御するため第三単向バルブ（６７）が設置されている。
【００１４】
図５に示すように、本発明を使用する際、先ず図２に示す状態から第一ピストン（５）がカバー（３２）へ移動されると共に、第二パッキング（３４）によって進気孔（３３）をオープンさせ、空気が送気パイプ（２０）と第一パイプ（３０）内に送入されている。従って、第一ピストン（５）がカバー（３２）へ作動する際、送気パイプ（２０）と第一パイプ（３０）における空気が第二パッキング（３４）によって進気孔（３３）をクローズさせるため、第一リング（５３）を通過すると共に、第一通気道（５５）内に進入され、更に、送気パイプ（２０）内に進入されている。送気パイプ（２０）は出気部件（１０）と貫通されるので、空気は出気部件（１０）によって外へ排出される。更に、第一ピストン（５）がカバー（３２）へ作動する際、第一パイプ（３０）底部における単向バルブ（３１２）がオープンされると共に、第二取り付けブロック（６１）における通気孔（６８）がオープンされている。通気孔（６８）と第二パイプ（４０）底部における進気孔（６６）とが貫通するため、空気は通気孔（６８）から第一パイプ（３０）内に進入されている。
【００１５】
第一ピストン（５）がカバー（３２）と接触する際、第一ピストン（５）の作動が完了している。この際、第二ピストン（６）が第一カバー（４１）へ移動すれば、第一パイプ（３０）と第二パイプ（４０）との間における空気が第二取り付けブロック（６１）の移動で圧縮され、又、第二取り付けブロック（６１）を移動するより、第三単向バルブ（６７）によって進気孔（６６）をオープンさせ、従って、空気は第二パイプ（４０）内に進入されている（図６に示すように）。
【００１６】
第二取り付けブロック（６１）は第一カバー（４１）へ移動し続ければ、第一単向バルブ（６３）がオープン状態になり、且つ第二単向バルブ（６４）がクローズ状態になり、従って、第一通気孔（４２）が第三パッキング（４３）によってクローズされている。そして、第一パイプ（３０）と第二パイプ（４０）との間における空気が第一単向バルブ（６３）の一側から第二通気道（６５）内に進入され、最後に、位置決めパイプ（３１）内に進入されると共に、出気部件（１０）によって外へ排出されている。
【００１７】
図７に示すように、第二取り付けブロック（６１）が進気孔（６６）へ移動する際、第一単向バルブ（６３）がクローズ状態になり、第二単向バルブ（６４）がオープン状態になる。この際、進気孔（６６）が第三単向バルブ（６７）の作用によってクローズ状態になる。従って、第二パイプ（４０）内における空気が第二単向バルブ（６４）を通過して第二通気道（６５）内に進入されると共に、位置決めパイプ（３１）内に進入され、更に、出気部件（１０）によって外へ排出されている。又、第一通気孔（４２）が第三パッキング（４３）の作用によってオープン状態になり、この際、外部の空気が第一通気孔（４２）を通過して第一パイプ（３０）と第二パイプ（４０）内に進入されている。
【００１８】
図８に示すように、第二ピストン（６）が作動完了した後、使用者はエアポンプを操作し続ける際、第一ピストン（５）がカバー（３２）から離れていき、第二パッキング（３４）がこの動作によって進気孔（３３）をオープンさせている。この際、空気が送気パイプ（２０）と第一パイプ（３０）内に進入されている。ブロック（５１）が第二取り付けブロック（６１）へ移動する際、第一パイプ（３０）内における空気は第一パイプ（３０）底部における単向バルブ（３１２）が押圧されると共に、第二取り付けブロック（６１）内部における通気孔（６８）がクローズされている。この際、圧縮された空気は第二リング（５４）を通過して第一通気道（５５）内に進入されると共に、送気パイプ（２０）内に進入され、更に、出気部件（１０）によって外へ排出されている。本発明に述べた出気部件（１０）が従来のものであり、詳しく説明しない。
【００１９】
【発明の効果】
本発明は以上説明したようになるから、次のような効果を得ることができる。本発明のエアポンプは往復作動する際、空気が排出されるだけではなく、使用しない時、小さい体積によって収容されており、占用の収容空間が小さくなることができる。
【図面の簡単な説明】
【図１】本発明に係わるエアポンプを完全に展開する状態を示す断面図である。
【図２】本発明に係わるエアポンプを完全に圧縮する状態を示す断面図である。
【図３】本発明に係わるエアポンプの第一ピストンと送気パイプを示す断面図である。
【図４】本発明に係わるエアポンプの第二ピストンと第二パイプを示す断面図である。
【図５】本発明に係わるエアポンプの第一ピストンが第一パイプ内に作動する状態を示す断面図である。
【図６】本発明に係わるエアポンプの第二ピストンが第二パイプ内に作動する状態を示す断面図である。
【図７】本発明に係わるエアポンプの第二ピストンが第二パイプ内に図５の逆方向へ作動する状態を示す断面図である。
【図８】本発明に係わるエアポンプの第一ピストンが第一パイプ内に図４の逆方向へ作動する状態を示す断面図である。
【符号の説明】
１０      出気部件
２０      送気パイプ
２１      第一パッキング
３０      第一パイプ
３１      位置決めパイプ
３１１    第一取り付けブロック
３１２    単向バルブ
３２      カバー
３３      進気孔
３４      第二パッキング
４０      第二パイプ
４１      第一カバー
４２      第一通気孔
４３      第三パッキング
５        第一ピストン
５１      ブロック
５２      取り付け溝
５３      第一リング
５４      第二リング
５５      第一通気道
６        第二ピストン
６１      第二取り付けブロック
６２      収容部
６３      第一単向バルブ
６３１    延伸弁
６３２    隙間
６４      第二単向バルブ
６４１    延伸弁
６４２    隙間
６５      第二通気道
６６      進気孔
６７      第三単向バルブ
６８      通気孔
【図１】
0003728734.tif 000002
【図２】
0003728734.tif 000003
【図３】
0003728734.tif 000004
【図４】
0003728734.tif 000005
【図５】
0003728734.tif 000006
【図６】
0003728734.tif 000007
【図７】
0003728734.tif 000008
【図８】
0003728734.tif 000009